(57)【要約】      （修正有）【課題】配布した広告に対する広告効果をより高い精度で判定する広告システムを提供する。【解決手段】広告システム１において、ポスティングサーバー２５は、広告主１０により設定された希望配布期間、配布エリア、配布枚数に基づき、配布員３１を選択すると共に、配布枚数分のユニークなＩＤ情報、配布データを生成し、選択したした各配布員３１へ送信する。配布員用機器３３は、ポスティングサーバー２５より受信した配布データと、受信した複数のＩＤ情報から印刷ごとに異ならせて抽出したＩＤ情報とを重畳した印刷をプリンター３５に配布枚数分印刷させる。【選択図】図１
2020194221.tif 000002
【特許請求の範囲】
【請求項１】
サーバー装置と、印刷装置を制御する印刷制御装置とを備える広告システムであって、
前記サーバー装置は、
第１通信部と、
広告データと複数の識別情報とを前記第１通信部に送信させる第１制御部と、を備え、
前記印刷制御装置は、
前記サーバー装置から前記広告データと複数の前記識別情報とを受信する第２通信部と、
前記第２通信部が受信した複数の前記識別情報から１の前記識別情報を選択し、選択した前記識別情報と前記第２通信部が受信した前記広告データとを前記印刷装置に出力して、選択した前記識別情報及び前記広告データが印刷された印刷物を前記印刷装置に生成させる第２制御部と、を備える、広告システム。
【請求項２】
前記第２制御部は、前記印刷物ごとに異なる前記識別情報を選択する、請求項１記載の広告システム。
【請求項３】
前記第１制御部は、前記サーバー装置にアクセスするための複数のアクセス情報を前記第１通信部に送信させ、
前記第２制御部は、前記第２通信部が受信した前記アクセス情報を含むコード情報を生成し、生成した前記コード情報と、前記広告データとを前記印刷装置に出力して前記印刷物を印刷させ、
複数の前記アクセス情報の各々には、前記識別情報が含まれる、請求項１又は２に記載の広告システム。
【請求項４】
前記サーバー装置は、前記印刷物を配布する配布員の識別情報と、前記配布員のメールアドレスとを対応づけて記憶した記憶部を備え、
前記第１制御部は、前記印刷制御装置を使用する配布員のメールアドレスを取得し、取得したメールアドレス宛てに前記印刷物を配布するエリアを指定したエリア情報を送信する、請求項３に記載の広告システム。
【請求項５】
前記印刷制御装置は、
前記印刷制御装置の位置を検出する位置検出部と、
前記コード情報を読み取る読取部と、
操作を受け付ける操作部と、を備え、
前記第２制御部は、前記操作部により操作を受け付けた場合に、前記位置検出部に前記印刷制御装置の位置を検出させ、前記読取部が読み取ったコード情報から取り出した前記識別情報と、前記印刷制御装置の位置を示す位置情報とを前記サーバー装置に送信する、請求項３又は４に記載の広告システム。
【請求項６】
前記第１制御部は、前記アクセス情報に基づくアクセス要求を受け付けた場合、前記アクセス情報に含まれる前記識別情報を、前記アクセス要求の要求元装置から取得し、前記識別情報を取得後、前記要求元装置からのアクセスを、前記広告データに含まれる商品及びサービスの少なくとも一方が掲載されたＷｅｂページに転送する、請求項５記載の広告システム。
【請求項７】
前記第１制御部は、前記印刷制御装置から受信した前記識別情報及び前記位置情報を対応づけて記憶部に記憶させ、
前記要求元装置から取得した前記識別情報に対応づけられた前記位置情報を検出し、検出した前記位置情報と、前記印刷物の配布枚数とに基づき配布した前記印刷物に対する反響率がしきい値以上のエリアを特定する、請求項６記載の広告システム。
【請求項８】
前記第２制御部は、選択した前記識別情報をコード情報に変換し、変換した前記コード情報と、前記広告データとを前記印刷装置に出力して、選択した前記識別情報及び前記広告データが印刷された印刷物を前記印刷装置に生成させる、請求項１から７のいずれか１項に記載の広告システム。
【請求項９】
サーバー装置と、印刷装置を制御する印刷制御装置とを備える広告システムの制御方法であって、
前記サーバー装置において、
広告データと複数の識別情報とを前記印刷制御装置に送信するステップを有し、
前記印刷制御装置において、
前記サーバー装置から前記広告データと複数の前記識別情報とを受信するステップと、
受信した複数の前記識別情報から１の前記識別情報を選択するステップと、
選択した前記識別情報と、前記広告データとを前記印刷装置に出力して、選択した前記識別情報及び前記広告データが印刷された印刷物を前記印刷装置に生成させるステップと、を有する、広告システムの制御方法。
【発明の詳細な説明】
【技術分野】
【０００１】
本発明は、広告システム、及び広告システムの制御方法に関する。
【背景技術】
【０００２】
従来、識別情報が埋め込まれた広告物を配布して、広告効果を判定するシステムが知られている。例えば、特許文献１は、紙メディアＩＤが埋め込まれた紙メディアを配布して、紙メディアに掲載された商品の購入に至った経緯を集計するマーケティングシステムを開示する。
【先行技術文献】
【特許文献】
【０００３】
【特許文献１】特開２０１６−１２２２７１号公報
【発明の概要】
【発明が解決しようとする課題】
【０００４】
しかしながら、配布した広告に対する広告効果をより高い精度で判定したいという要望がある。
【課題を解決するための手段】
【０００５】
上記課題を解決する一態様は、サーバー装置と、印刷装置を制御する印刷制御装置とを備える広告システムであって、前記サーバー装置は、第１通信部と、広告データと複数の識別情報とを前記第１通信部に送信させる第１制御部と、を備え、前記印刷制御装置は、前記サーバー装置から前記広告データと複数の前記識別情報とを受信する第２通信部と、前記第２通信部が受信した複数の前記識別情報から１の前記識別情報を選択し、選択した前記識別情報と前記第２通信部が受信した前記広告データとを前記印刷装置に出力して、選択した前記識別情報及び前記広告データが印刷された印刷物を前記印刷装置に生成させる第２制御部と、を備える、広告システムである。
【０００６】
上記広告システムにおいて、前記第２制御部は、前記印刷物ごとに異なる前記識別情報を選択する構成であってもよい。
【０００７】
上記広告システムにおいて、前記第１制御部は、前記サーバー装置にアクセスするための複数のアクセス情報を前記第１通信部に送信させ、前記第２制御部は、前記第２通信部が受信した前記アクセス情報を含むコード情報を生成し、生成した前記コード情報と、前記広告データとを前記印刷装置に出力して前記印刷物を印刷させ、複数の前記アクセス情報の各々には、前記識別情報が含まれる構成であってもよい。
【０００８】
上記広告システムにおいて、前記サーバー装置は、前記印刷物を配布する配布員の識別情報と、前記配布員のメールアドレスとを対応づけて記憶した記憶部を備え、前記第１制御部は、前記印刷制御装置を使用する配布員のメールアドレスを取得し、取得したメールアドレス宛てに前記印刷物を配布するエリアを指定したエリア情報を送信する構成であってもよい。
【０００９】
上記広告システムにおいて、前記印刷制御装置は、前記印刷制御装置の位置を検出する位置検出部と、前記コード情報を読み取る読取部と、操作を受け付ける操作部と、を備え、前記第２制御部は、前記操作部により操作を受け付けた場合に、前記位置検出部に前記印刷制御装置の位置を検出させ、前記読取部が読み取ったコード情報から取り出した前記識別情報と、前記印刷制御装置の位置を示す位置情報とを前記サーバー装置に送信する構成であってもよい。
【００１０】
上記広告システムにおいて、前記第１制御部は、前記アクセス情報に基づくアクセス要求を受け付けた場合、前記アクセス情報に含まれる前記識別情報を、前記アクセス要求の要求元装置から取得し、前記識別情報を取得後、前記要求元装置からのアクセスを、前記広告データに含まれる商品及びサービスの少なくとも一方が掲載されたＷｅｂページに転送する構成であってもよい。
【００１１】
上記広告システムにおいて、前記第１制御部は、前記印刷制御装置から受信した前記識別情報及び前記位置情報を対応づけて記憶部に記憶させ、  前記要求元装置から取得した前記識別情報に対応づけられた前記位置情報を検出し、検出した前記位置情報と、前記印刷物の配布枚数とに基づき配布した前記印刷物に対する反響率がしきい値以上のエリアを特定する構成であってもよい。
【００１２】
上記広告システムにおいて、前記第２制御部は、選択した前記識別情報をコード情報に変換し、変換した前記コード情報と、前記広告データとを前記印刷装置に出力して、選択した前記識別情報及び前記広告データが印刷された印刷物を前記印刷装置に生成させる構成であってもよい。
【００１３】
上記課題を解決する別の一態様は、サーバー装置と、印刷装置を制御する印刷制御装置とを備える広告システムの制御方法であって、前記サーバー装置において、広告データと複数の識別情報とを前記印刷制御装置に送信するステップを有し、前記印刷制御装置において、前記サーバー装置から前記広告データと複数の前記識別情報とを受信するステップと、受信した複数の前記識別情報から１の前記識別情報を選択するステップと、選択した前記識別情報と、前記広告データとを前記印刷装置に出力して、選択した前記識別情報及び前記広告データが印刷された印刷物を前記印刷装置に生成させるステップと、を有する、広告システムの制御方法である。
【図面の簡単な説明】
【００１４】
【図１】広告システムのシステム構成図。
【図２】配布員用機器の構成図。
【図３】ポスティングサーバーの構成図。
【図４】配布員登録データベースの構成を模式的に示す図。
【図５】依頼情報管理データベースの構成を模式的に示す図。
【図６】アクセス履歴データベースの構成を模式的に示す図。
【図７】広告システムの動作を示すシーケンス図。
【図８】レポートの一例を示す図。
【図９】ポスティングサーバーの動作を示すフローチャート。
【図１０】ポスティングサーバーの動作を示すフローチャート。
【発明を実施するための形態】
【００１５】
図１は、広告システム１のシステム構成図である。
広告システム１は、広告主１０が提供する商品やサービス等が印刷された広告物をポスティングするシステムである。広告システム１は、広告主１０が管理する広告主用コンピューター１３及びＷｅｂサーバー１５と、ポスティング業者２０が管理するポスティングサーバー２５と、配布員３１が所有する配布員用機器３３とを備える。広告主用コンピューター１３、Ｗｅｂサーバー１５、ポスティングサーバー２５及び配布員用機器３３は、ネットワーク５０に接続可能な構成である。図１には、２台の広告主用コンピューター１３と、３台の配布員用機器３３とを図示するが、広告主用コンピューター１３及び配布員用機器３３の台数は、任意である。ポスティングサーバー２５は、本発明の「サーバー装置」に相当する。配布員用機器３３は、本発明の「印刷制御装置」に相当する。
【００１６】
広告主１０は、商品やサービスの提供者であり、広告主用コンピューター１３等を用いて広告主１０が提供する商品やサービスの広告が掲載された広告物の元になる広告データを生成する。広告データは、広告主１０が広告主用コンピューター１３を操作して生成してもよいし、他の業者に依頼して作成してもよい。
【００１７】
広告主用コンピューター１３は、一般的に知られたコンピューター装置であり、Ｗｅｂブラウザーがインストールされている。Ｗｅｂサーバー１５は、Ｗｅｂページを提供するサーバコンピューターである。Ｗｅｂページには、広告主１０の提供する商品やサービスの詳細が表示されている。広告主用コンピューター１３とＷｅｂサーバー１５は、例えば、社内のＬＡＮ（Local Area Network）等のネットワークにより接続されていてもよい。また、Ｗｅｂサーバー１５は、他の業者により提供されるレンタルサーバーであってもよい。
【００１８】
広告主１０は、広告主用コンピューター１３を操作して広告主用コンピューター１３にインストールされたＷｅｂブラウザーを起動させ、ポスティングサーバー２５の提供するＷｅｂページにアクセスする。
【００１９】
広告主用コンピューター１３は、ポスティングサーバー２５から認証画面のＷｅｂページを受信し、受信したＷｅｂページに基づき利用者を認証する認証画面をディスプレイに表示する。広告主１０は、ディスプレイに認証画面が表示されると、キーボードにより広告主ＩＤやパスワードを入力する。広告主ＩＤやパスワードは、例えば、利用者を認証するための情報であり、例えば、Ｗｅｂページに最初にアクセスしたときに、広告主１０により設定されたり、ポスティングサーバー２５により設定される。
【００２０】
広告主用コンピューター１３は、認証処理が完了すると、広告の配布条件などを指定するためのＷｅｂページをポスティングサーバー２５から受信してディスプレイに表示する。広告主１０は、認証処理が完了し、ディスプレイにＷｅｂページが表示されると、表示されたＷｅｂページに広告の配布条件を入力する。配布条件には、広告物を配布する希望配布エリアや、希望配布枚数、希望配布期間等が含まれる。例えば、「○月○日〜○月△日までの平日５日間、１日１００枚、計５００枚の広告物を配布」といった条件が設定される。
【００２１】
また、広告主用コンピューター１３は、広告データをアップロードするためのＷｅｂページをポスティングサーバー２５から受信してディスプレイに表示する。広告主１０は、Ｗｅｂページに表示されたボタンを操作して、ポスティングサーバー２５にアップロードする広告データを格納した広告主用コンピューター１３のディレクトリを選択する。Ｗｅｂページに表示されたアップロードボタンが広告主１０により押下されると、配布条件や広告データを含む依頼情報が、ポスティングサーバー２５にアップロードされる。
【００２２】
ポスティングサーバー２５は、広告主用コンピューター１３から配布条件や広告データがアップロードされると、アップロードされた配布条件や広告データを後述するサーバー記憶部２３０に記憶させる。ポスティングサーバー２５を管理するポスティング業者２０は、広告の配布を担当する複数の配布員３１と契約している。ポスティングサーバー２５には、契約した配布員３１の配布員登録情報が登録されている。配布員登録情報の詳細については、図４を参照しながら説明する。ポスティングサーバー２５は、配布条件や、配布員３１により設定された配布員登録情報に基づいて広告物を配布させる配布員３１を選択する。ポスティングサーバー２５は、配布員用機器３３を介して、選択した配布員のプリンター３５に広告データの印刷を実行させると共に、選択した配布員に広告物の配布を依頼するための処理を行う。
【００２３】
配布員３１は、配布員用機器３３を所持する。また、配布員３１の自宅である配布員宅３０には、プリンター３５が設置される。プリンター３５は、本発明の「印刷装置」に相当する。配布員用機器３３は、例えば、スマートフォンやタブレットコンピューター等の持ち運び可能な携帯機器である。配布員用機器３３は、例えば、Ｗｉ−Ｆｉによりネットワーク５０に接続してポスティングサーバー２５にアクセスすることができる。Ｗｉ−Ｆｉは、登録商標である。また、配布員用機器３３は、プリンター３５に接続される。配布員用機器３３とプリンター３５との接続は、例えばＵＳＢ（Universal Serial Bus）等の有線による接続であってもよいし、Ｗｉ−Ｆｉ等による無線接続であってもよい。配布員用機器３３は、配布員３１の所有物でもよいし、ポスティング業者２０から貸与された機器でもよい。
【００２４】
プリンター３５は、例えば、インクジェットヘッドにインクを供給するインクタンクに、インクを事後的に充填可能なＣＩＳＳ（Continuous Ink Supply System）方式の印刷装置である。本実施形態では、プリンター３５は、ポスティング業者２０と所定の契約を結び広告物を配布する配布員宅３０に設置される据え置き型の印刷装置を例示する。プリンター３５は、配布員３１の所有物でもよいし、ポスティング業者から貸与された機器であってもよい。
【００２５】
図２は、配布員用機器３３の構成図である。
配布員用機器３３は、無線通信部３３１、ＧＰＳ（Global Positioning System）受信部３３２、表示部３３３、操作部３３４、カメラ３３５及び機器制御部３５０を備える。
無線通信部３３１は、例えば、無線ＬＡＮ等の無線通信規格に従って無線通信を行い、ネットワーク５０に接続する。また、無線通信部３３１は、無線ＬＡＮやＢｌｕｅｔｏｏｔｈ等の無線通信規格に従って無線通信を行い、プリンター３５に接続する。無線通信部３３１は、本発明の「第２通信部」の一例に相当する。Ｂｌｕｅｔｏｏｔｈは、登録商標である。
【００２６】
ＧＰＳ受信部３３２は、ＧＰＳ衛星から送信されるＧＰＳ信号を受信する。ＧＰＳ受信部３３２は、受信したＧＰＳ信号に基づき、配布員用機器３３の位置を示す緯度及び経度を算出する。ＧＰＳ受信部３３２は、算出した緯度及び経度を位置情報として機器制御部３５０に出力する。ＧＰＳ受信部３３２は、本発明の「位置検出部」に相当する。
【００２７】
表示部３３３は、液晶パネルや有機ＥＬパネル等の表示パネルを備える。
操作部３３４は、表示部３３３に設けられたタッチパネルにより構成され、ユーザーのタッチ操作を受け付ける。
【００２８】
カメラ３３５は、いわゆるデジタルカメラである。カメラ３３５は、ＣＣＤ（Charge Coupled Device）やＣＭＯＳ（Complementary Metal Oxide Semiconductor）等のイメージセンサーを備える。また、カメラ３３５は、イメージセンサーの受光状態から撮像データを生成するデータ処理回路を備える。カメラ３３５は、本発明の「読取部」に相当する。
【００２９】
機器制御部３５０は、機器記憶部３５１と、機器プロセッサー３５５とを備える。機器制御部３５０は、本発明の「第２制御部」に相当する。
機器記憶部３５１は、例えば、フラッシュメモリー等の不揮発性メモリーにより構成される。機器記憶部３５１は、機器プロセッサー３５５が実行するアプリケーションプログラム３５３を記憶する。アプリケーションプログラム３５３を、以下では、アプリ３５３と略記する。アプリ３５３は、例えば、ポスティング業者２０によって提供されるプログラムである。
【００３０】
機器プロセッサー３５５は、ＣＰＵ（Central Processing Unit）やＭＰＵ（Micro Processing Uni）等のプロセッサーである。
機器プロセッサー３５５が、アプリ３５３を実行することで、ポスティングサーバー２５の提供するＷｅｂページにアクセスしたり、ポスティングサーバー２５からデータをダウンロードしたりすることができる。また、機器プロセッサー３５５が、アプリ３５３を実行することで、表示部３３４にアプリ画面が表示される。このアプリ画面には、例えば、カメラ３３５の撮像画像やボタンが表示される。アプリ画面にカメラ３３５によって撮像された二次元コードが表示され、配布員３１によりボタンが押下されると、機器プロセッサー３５５は、二次元コードを復号して後述するＩＤ情報を取り出す。また、機器プロセッサー３５５は、ＧＰＳ受信部３３２から位置情報を取得し、取得した位置情報と、ＩＤ情報とを対応づけて機器記憶部３５１に記憶させる。
【００３１】
図３は、ポスティングサーバー２５の構成図である。
ポスティングサーバー２５は、サーバー通信部２１０及びサーバー制御部２２０を備える。サーバー通信部２１０は、ネットワーク５０に接続し、ネットワーク５０に接続した広告主用コンピューター１３や、Ｗｅｂサーバー１５、配布員用機器３３とデータ通信を行う。サーバー通信部２１０は、本発明の「第１通信部」に相当し、サーバー制御部２２０は、本発明の「第１制御部」に相当する。
【００３２】
サーバー制御部２２０は、サーバー記憶部２３０及びサーバープロセッサー２５０を備える。
サーバー記憶部２３０は、プログラムやデータを不揮発的に記憶する不揮発性記憶領域と、サーバープロセッサー２５０が実行するプログラムやデータを一時的に記憶するワークエリアを構成する揮発性記憶領域とを備える。また、図３には、サーバー制御部２２０が、サーバー記憶部２３０を備える場合を示すが、サーバー記憶部２３０は、サーバー制御部２２０の外部に設けた構成であってもよい。
【００３３】
サーバー記憶部２３０は、サーバープロセッサー２５０が実行する制御プログラム２３１や、配布員登録データベース２３３、依頼情報管理データベース２３５、アクセス履歴データベース２３７、その他の各種データを記憶する。
サーバープロセッサー２５０は、制御プログラム２３１を実行して、ポスティングサーバー２５の各部を制御する。サーバープロセッサー２５０が実行する制御動作の詳細は、図７に示すシーケンス図や、図９及び図１０に示すフローチャートを参照しながら説明する。
【００３４】
図４は、配布員登録データベース２３３の構成を模式的に示す図である。
配布員登録データベース２３３には、配布員登録情報が、配布員ＩＤに対応づけて登録される。配布員登録情報には、例えば、パスワード、配布可能エリア情報、配布可能日情報、配布可能枚数、メールアドレス等が含まれる。配布員ＩＤは、本発明の「配布員の識別情報」に相当する。また、配布員登録データベース２３３は、本発明の「記憶部」に相当する。
【００３５】
配布員ＩＤ及びパスワードは、配布員３１を識別する識別情報であり、配布員３１ごとに一意に設定される。配布員ＩＤ及びパスワードは、配布員３１の登録の際に、ポスティングサーバー２５又は配布員３１によって設定される。配布員ＩＤ及びパスワードは、例えば、ポスティングサーバー２５の提供するＷｅｂページにサインインする場合に使用される。
【００３６】
配布可能エリア情報は、配布員ＩＤの配布員３１が広告物を配布可能なエリアを示す情報であり、配布員３１の登録のときに配布員３１が申請する申請情報に基づいて設定される。
配布可能日情報は、配布員ＩＤの配布員３１が広告物の配布が可能な日付けを登録した情報である。配布可能日情報の他に、広告物の配布ができない日付けを配布員登録データベース２３３に登録してもよい。
配布可能枚数は、配布員ＩＤの配布員３１が単位期間当たりに配布が可能な広告物の枚数を示す情報である。単位期間には、例えば、１日や１週間、１か月等の予め決められた期間が設定される。
メールアドレスは、配布員３１の電子メールのアドレスである。
【００３７】
図５は、依頼情報管理データベース２３５の構成を模式的に示す図である。
依頼情報管理データベース２３５には、メールアドレスと、受信日時情報と、依頼情報とが、広告主ＩＤに対応づけて登録される。
広告主ＩＤは、広告主１０を識別する識別情報であり、広告主１０がポスティング業者の提供するサービスの利用を開始するときに、広告主１０又はポスティングサーバー２５によって設定される。
メールアドレスは、広告主ＩＤに対応する広告主のメールアドレスである。
受信日時情報は、広告主用コンピューター１３から依頼情報を受信した受信日時を示す情報である。
依頼情報には、上述した配布条件や広告データが含まれる。
【００３８】
図６は、アクセス履歴データベース２３７の構成を模式的に示す図である。アクセス履歴データベース２３７は、本発明の「記憶部」に相当する。
アクセス履歴データベース２３７には、位置情報及びアクセス履歴がＩＤ情報に対応づけて登録される。
ＩＤ情報は、配布員３１が配布する広告物に付される識別情報であり、ポスティングサーバー２５によって生成される。ＩＤ情報は、本発明の「識別情報」に相当する。ＩＤ情報には、例えば、広告主１０を示す情報や、広告物が配布された配布期間を示す情報が含まれていてもよい。また、ＩＤ情報には、広告物の配布を担当した配布員３１を識別する情報が含まれていてもよい。ＩＤ情報は、広告主１０により設定された希望配布枚数と同数生成され、生成されたＩＤ情報はすべて値が異なる。
【００３９】
位置情報は、配布員用機器３３によりＩＤ情報と共にアップロードされる情報であり、広告物が配布された位置を示す情報である。具体的には、配布員３１が広告物を配布したときに、配布員用機器３３のＧＰＳ受信部３３２により検出された位置情報である。
【００４０】
アクセス履歴には、配布された広告物を見た人が、広告主１０の提供するＷｅｂページにアクセスしたか否かの履歴が記録される。広告物を見た人が、広告主１０の提供するＷｅｂページにアクセスした場合、アクセスありの履歴が記録される。
【００４１】
図７は、広告システム１の動作を示すシーケンス図である。
図７に示すシーケンス図を参照しながら広告システム１の動作を説明する。
広告主用コンピューター１３は、広告主１０の操作によりポスティングサーバー２５にアクセスし、ポスティングサーバー２５の提供するＷｅｂページをディスプレイに表示する。このＷｅｂページには、広告の配布条件等の入力欄が表示される。配布条件には、例えば、希望配布エリアや、希望配布枚数、希望配布期間が含まれる。広告主用コンピューター１３は、広告主１０の操作により配布条件を受け付ける（ステップＴ１）。広告主用コンピューター１３は、アップロードボタンが押下されると、ステップＴ１において受け付けた配布条件や、広告データを含む依頼情報をポスティングサーバー２５にアップロードする（ステップＴ２）。ポスティングサーバー２５は、依頼情報を、広告主ＩＤに対応づけて依頼情報管理データベース２３５に登録する（ステップＴ３）。
【００４２】
サーバー制御部２２０は、予め設定された時刻となると、広告主用コンピューター１３からアップロードされた配布条件と、配布員登録情報とに基づいて広告物の配布を依頼する配布員３１を配布エリアごとに選択する（ステップＴ４）。例えば、サーバー制御部２２０は、広告主１０により設定された希望配布エリアへの配布が可能な３１を配布エリアごとに抽出する。例えば、希望配布エリアが配布エリアＡ、配布エリアＢ及び配布エリアＣであった場合、サーバー制御部２２０は、広告物を配布可能な配布員３１を配布エリアＡ、配布エリアＢ及び配布エリアＣのそれぞれで抽出する。
【００４３】
次に、サーバー制御部２２０は、広告主１０により指定された希望配布期間に基づいて、広告物を配布する配布期間を設定する。配布期間は、例えば、１日や３日、１週間、２週間、１カ月等、任意に設定可能である。次に、サーバー制御部２２０は、抽出した配布員３１の配布可能日情報を参照して、配布期間に広告物の配布が可能な配布員３１を、配布エリアＡ、配布エリアＢ及び配布エリアＣの配布エリアごとに選択する。
【００４４】
さらに、サーバー制御部２２０は、配布期間に配布する広告の枚数と、選択した各配布員３１の配布可能枚数とに基づいて配布員３１をさらに選択する。例えば、広告主１０により設定された希望配布期間が４月１日〜４月３０日までの１カ月であり、配布エリアＡへの配布枚数が４００枚であると仮定する。また、広告物の配布方法として、広告物を２週間に２００枚ずつ配布する設定であると仮定する。サーバー制御部２２０は、２００枚の広告物を配布可能な配布員３１を選択する。このとき選択される配布員３１は、１人であってもよいし、複数人であってもよい。すなわち、１人の配布員３１により１配布エリアに広告物を配布してもよいし、複数の配布員３１により１配布エリアに広告物を配布してもよい。
【００４５】
次に、サーバー制御部２２０は、ＩＤ情報を生成する（ステップＴ５）。ＩＤ情報は、広告主１０により設定された希望配布枚数と同数生成され、生成されたＩＤ情報はすべて値が異なる。
【００４６】
次に、サーバー制御部２２０は、配布データを、ステップＴ４で決定した配布員３１ごとに生成する（ステップＴ６）。配布データには、広告データと、ＵＲＬ（Uniform Resource Locator）リストと、該当の配布員３１に配布させる配布エリアを示す配布エリア情報と、配布期間と、配布枚数とが含まれる。ＵＲＬリストには、該当の配布員３１に配布させる広告物の枚数と同数のＵＲＬが登録される。ＵＲＬには、ステップＴ５で生成したＩＤ情報が含まれる。このため、ＵＲＬリストに登録されるＵＲＬは、すべて値が異なるＵＲＬとなる。ＵＲＬは、本発明の「アクセス情報」に相当する。
【００４７】
次に、サーバー制御部２２０は、生成した配布データを、ステップＴ４で決定した各配布員３１に配布する。例えば、サーバー制御部２２０は、決定した全配布員３１のメールアドレス宛てに、ポスティング依頼の電子メールを送信する。
【００４８】
配布員用機器３３は、配布員３１の操作により電子メールを受信し、受信した電子メールを表示部３３３に表示する。また、配布員用機器３３は、配布員３１の操作によりアプリ３５３を起動させる。機器制御部３５０は、アプリ３５３の起動により、ポスティングサーバー２５の提供するＷｅｂページにアクセスする。ポスティングサーバー２５は、配布員用機器３３からのアクセスを受け付けると、認証情報の取得要求を配布員用機器３３に送信する。ポスティングサーバー２５は、配布員用機器３３から認証情報を受信すると、認証情報を用いて認証処理を行い、認証に成功すると、配布員用機器３３にＷｅｂページを表示させる。
【００４９】
Ｗｅｂページには、配布データを配布員用機器３３にダウンロードするボタンが表示される。ポスティングサーバー２５は、Ｗｅｂページに表示されたボタンの操作を受け付けた場合、配布員用機器３３に配布データをダウンロードする（ステップＴ７）。
【００５０】
次に、機器制御部３５０は、受信した配布データからＵＲＬリストと、広告データを取り出す。機器制御部３５０は、取り出したＵＲＬリストから１のＵＲＬを選択し、選択したＵＲＬを二次元コードに変換する（ステップＴ８）。二次元コードは、例えば、ＱＲコード等のマトリックス式のコードであってもよいし、ＰＤＦ４１７等のスタック式のコードであってもよい。ＱＲコードは、登録商標である。また、本実施形態では、ＵＲＬを二次元コードに変換する場合について説明するが、ＵＲＬを一次元コードに変換してもよい。二次元コードは、本発明の「コード情報」に相当する。
【００５１】
機器制御部３５０は、変換した二次元コードを広告データに重畳する（ステップＴ９）。広告データには、二次元コードを重畳させる重畳位置が設けられている。この重畳位置は、広告の背景となる位置にあり、広告に関するデータが含まれていない。ポスティング業者２０は、広告主１０に広告データの作成を依頼する場合に、二次元コードが重畳される広告データの範囲を広告主１０に事前に通知する。広告主１０は、ポスティング業者２０から通知された範囲には、広告に関するデータが含まれないように広告データを作成する。
【００５２】
機器制御部３５０は、二次元コードが重畳された広告データをプリンター３５に出力し、プリンター３５に広告物を印刷させる（ステップＴ１０）。機器制御部３５０は、ステップＴ８〜Ｔ１０の処理を、ＵＲＬリストに含まれるすべてのＵＲＬで実行する。これにより、配布データに含まれる配布枚数の広告物が印刷される。
【００５３】
配布員３１は、広告物を印刷すると、印刷した広告物と、配布員用機器３３とを所持して配布エリア情報が示す配布エリアに移動する。配布員３１は、配布エリアに移動すると、配布員用機器３３を操作してアプリ３５３を起動させ、広告物の配布を開始する。
【００５４】
配布員用機器３３は、配布員３１の操作によりアプリ３５３を起動させる。配布員用機器３３は、操作部３３４の操作を受け付けると、広告物に印刷された二次元コードをカメラ３３５により読み取る（ステップＴ１１）。配布員３１は、広告物を配布する住宅やマンションの郵便ポストの近くに移動すると、広告物をポストに投函する前に、配布員用機器３３を操作して二次元コードをカメラ３３５に読み取らせる。配布員３１は、配布員用機器３３のカメラ３３５に二次元コードが読み取られると、広告物を郵便ポストに投函する。
【００５５】
機器制御部３５０は、カメラ３３５が読み取った二次元コードを復号してＩＤ情報を取り出し、また、ＧＰＳ受信部３３２から位置情報を取得する。機器制御部３５０は、取り出したＩＤ情報と、位置情報とを対応づけ、ログデータとして機器記憶部３５１に記憶させる（ステップＴ１２）。配布員３１は、配布エリア内を移動しながら、配布先の住宅やマンションに移動し、操作部３３４を操作して配布員用機器３３に二次元コードを読み取らせる動作と、広告物を郵便ポストに投函する動作とを繰り返し、すべての広告物を投函する。
【００５６】
機器制御部３５０は、アプリ画面の配布完了ボタンが押下されると、ポスティングサーバー２５に接続する。配布員３１は、すべての広告物の配布が完了すると、アプリ画面に表示された配布完了ボタンを押下する。機器制御部３５０は、ポスティングサーバー２５に接続すると、機器記憶部３５１からログデータを読み出し、配布完了通知と、ログデータとをポスティングサーバー２５にアップロードする（ステップＴ１３）。
【００５７】
投函された広告物を見て広告に興味を持った人は、スマートフォン等の所持する機器のカメラにより広告物に印刷された二次元コードを読み取らせる。広告物を見た人が所持する機器を、以下では、顧客機器という。顧客機器は、操作を受け付けると、広告物に印刷された二次元コードを読み取る（ステップＴ１４）。顧客機器は、読み取った二次元コードを復号してＵＲＬを取り出し、取り出したＵＲＬへの接続リクエストをポスティングサーバー２５に送信する（ステップＴ１５）。接続リクエストは、「アクセス情報に基づくアクセス要求」に相当する。また、顧客機器は、本発明の「アクセス要求の要求元装置」に相当する。ポスティングサーバー２５は、接続リクエストを受信すると、このＵＲＬに含まれるＩＤ情報を取り出す（ステップＴ１６）。そして、ポスティングサーバー２５は、受信した接続リクエストを、予め設定されたＷｅｂサーバー１５に転送する（ステップＴ１７）。
【００５８】
ポスティングサーバー２５は、ＵＲＬから取り出したＩＤ情報に基づいてアクセス履歴データベース２３７を検索し、該当するＩＤ情報が記録されたレコードを検出する。そして、ポスティングサーバー２５は、該当するレコードのアクセス履歴を「アクセスあり」に書き換えてアクセス履歴を記録する（ステップＴ１８）。
【００５９】
また、ポスティングサーバー２５は、例えば、広告物の配布から所定時間を経過すると、配布した広告物に対する広告効果のレポート３００を生成する（ステップＴ１８）。図８は、ポスティングサーバー２５が生成するレポート３００の一例を示す図である。ポスティングサーバー２５は、アクセス履歴データベース２３７に登録されたアクセス履歴や、位置情報、配布員３１が配布した広告物の配布枚数等に基づき、配布エリアごとの反響率や、配布エリア全体での反響率を算出する。配布エリアごとの反響率は、ポスティングサーバー２５へのアクセスがあったＩＤ情報の数を、対象配布エリアに配布した広告物の総枚数で除算して求められる。配布エリア全体での反響率は、ポスティングサーバー２５へのアクセスがあったＩＤ情報の数を、全配布エリアに配布した広告物の枚数で除算して求められる。
【００６０】
サーバー制御部２２０は、配布エリアごとの反響率を算出すると、算出した反響率に基づいてレポート３００を生成する（ステップＴ１９）。このレポート３００には、例えば、広告物を配布した配布エリア全体の反響率３０１や、月ごとの反響率の推移３０２が掲載される。また、レポート３００には、全配布エリアの地図３０３が表示され、この地図３０３には、配布エリアの各々が、反響率に応じて色分けして表示される。例えば、サーバー制御部２２０は、反響率がしきい値以上の配布エリアを特定し、地図３０３において、特定した配布エリアの色を他の配布エリアの色とは異なる色で表示させてもよい。また、サーバー制御部２２０は、反響率がしきい値以上の配布エリアの反響率を、この配布エリアの地図３０３上に重ねて表示してもよい。さらに、レポート３００には、次回の広告物の配布のときに、広告物を配布したほうがよい配布エリアの提案等が記載される。ポスティングサーバー２５は、レポート３００を生成すると、生成したレポート３００を広告主用コンピューター１３に送信する（ステップＴ２０）。
【００６１】
図９及び図１０は、ポスティングサーバー２５の動作を示すフローチャートである。
図９及び図１０のフローチャートを参照しながらポスティングサーバー２５の動作を説明する。
サーバー制御部２２０は、依頼情報のアップロードを受け付けたか否かを判定する（ステップＳ１）。依頼情報のアップロードを受け付けていない場合（ステップＳ１／ＮＯ）、サーバー制御部２２０は、ステップＳ３の判定に移行する。
【００６２】
サーバー制御部２２０は、依頼情報を受信した場合（ステップＳ１／ＹＥＳ）、受信した依頼情報を依頼情報管理データベース２３５に登録し（ステップＳ２）、その後、ステップＳ３の判定に移行する。
【００６３】
次に、サーバー制御部２２０は、現在の日時が、広告物を配布する配布員３１を決定する決定日時であるか否かを判定する（ステップＳ３）。例えば、配布員３１を毎日決定する場合、１日の決められた時間を決定日時とすることができる。また、配布員３１を１週間に１回決定する場合、決められた曜日の決められた時間を決定日時とすることができる。サーバー制御部２２０は、現在の日時が決定日時ではない場合（ステップＳ３／ＮＯ）、ステップＳ９の判定に移行する。
【００６４】
また、サーバー制御部２２０は、現在の日時が配布員３１の決定日時である場合（ステップＳ３／ＹＥＳ）、依頼情報管理データベース２３５に、配布員３１を未決定の依頼情報があるか否かを判定する（ステップＳ４）。サーバー制御部２２０は、配布員３１を未決定の依頼情報がない場合（ステップＳ４／ＮＯ）、ステップＳ９の判定に移行する。
【００６５】
また、サーバー制御部２２０は、配布員３１を未決定の依頼情報がある場合（ステップＳ４／ＹＥＳ）、依頼情報、及び配布員登録情報に基づいて広告を配布する配布員３１をエリアごとに選択する（ステップＳ５）。例えば、希望配布エリアが、配布エリアＡ、配布エリアＢ及び配布エリアＣの３つの配布エリアからなる場合、サーバー制御部２２０は、配布員３１を、配布エリアＡ、配布エリアＢ及び配布エリアＣのエリアごとに決定する。例えば、サーバー制御部２２０は、広告物を配布員３１に配布させる配布期間と、配布エリアとを決定し、決定した配布期間に、決定した配布エリアへの広告物の配布が可能な配布員３１を配布員登録情報に基づいて決定する。
【００６６】
次に、サーバー制御部２２０は、ＩＤ情報を生成する（ステップＳ６）。サーバー制御部２２０は、依頼情報に含まれる希望配布枚数と同数のＩＤ情報を生成する。サーバー制御部２２０により生成されるすべてのＩＤ情報は、値が異なる。
次に、サーバー制御部２２０は、ステップＳ５で決定した配布員３１ごとに、配布データを生成する（ステップＳ７）。配布データには、広告データと、ＵＲＬリストと、配布エリア情報と、配布期間と、配布枚数とが含まれる。ＵＲＬリストには、ＵＲＬが登録される。ＵＲＬリストに登録されるＵＲＬの数は、配布枚数と同数である。また、ＵＲＬには、ステップＳ６で生成したＩＤ情報が含まれる。
【００６７】
次に、サーバー制御部２２０は、ステップＳ５で決定した配布員３１のメールアドレスを配布員登録データベース２３３から読み出し、読み出したメールアドレス宛てに、広告物の配布を依頼する依頼メールを送信する（ステップＳ８）。依頼メールを見た配布員３１は、配布員用機器３３を操作してアプリ３５３を起動させ、ポスティングサーバー２５のＷｅｂページにアクセスする。サーバー制御部２２０は、配布員用機器３３からのアクセスを受けると（ステップＳ９／ＹＥＳ）、認証画面のデータを配布員用機器３３にダウンロードして認証情報の取得を要求する（ステップＳ１０）。配布員用機器３３の表示部３３４には、認証画面が表示される。また、サーバー制御部２２０は、配布員用機器３３からのアクセスを受けていない場合（ステップＳ９／ＮＯ）、ステップＳ１の判定に戻る。
【００６８】
配布員３１は、配布員用機器３３の表示部３３４に認証画面が表示されると、操作部３３４を操作して、パスワードや配布員ＩＤを入力する。配布員用機器３３の機器制御部３５０は、受け付けたパスワードや配布員ＩＤをポスティングサーバー２５にアップロードする。サーバー制御部２２０は、配布員用機器３３からアップロードされた認証情報により認証処理を行う。サーバー制御部２２０は、認証に失敗した場合（ステップＳ１１／ＮＯ）、ステップＳ１０の処理に戻り、認証情報の再入力を要求する。
【００６９】
また、サーバー制御部２２０は、認証に成功した場合（ステップＳ１１／ＹＥＳ）、配布員用機器３３の表示部３３４にＷｅｂページを表示させる。このＷｅｂページには、ダウンロードボタンや、ログアウトボタン、配布完了ボタン等が表示される。ダウンロードボタンが配布員３１により押下されると、サーバー制御部２２０は、配布データのダウンロード要求を受け付ける（ステップＳ１２）。サーバー制御部２２０は、ログインした配布員３１に配布する配布データを、配布員用機器３３にダウンロードする（ステップＳ１３）。
【００７０】
サーバー制御部２２０は、ダウンロード要求を受け付けていない場合（ステップＳ１２／ＮＯ）、広告物の配布が完了したことを示す配布完了通知を受け付けたか否かを判定する（ステップＳ１４）。Ｗｅｂページに表示された配布完了ボタンが配布員３１により押下されることで、配布完了通知がポスティングサーバー２５にアップロードされる。サーバー制御部２２０は、配布完了通知を受信すると（ステップＳ１４／ＹＥＳ）、ログデータの送信要求を配布員用機器３３に送信する（ステップＳ１５）。配布員用機器３３の機器制御部３５０は、機器記憶部３５１に記憶させたログデータをポスティングサーバー２５にアップロードする。
【００７１】
サーバー制御部２２０は、ログデータの送信要求を配布員用機器３３に送信すると、配布員用機器３３からログデータを受信したか否かを判定する。サーバー制御部２２０は、配布員用機器３３からログデータを受信していない場合（ステップＳ１６／ＮＯ）、ログデータを受信するまで待機する。また、サーバー制御部２２０は、ログデータを配布員用機器３３から受信すると（ステップＳ１６／ＹＥＳ）、受信したログデータをアクセス履歴データベース２３７に登録する（ステップＳ１７）。
【００７２】
また、サーバー制御部２２０は、ステップＳ１４において配布完了通知を受信していないと判定した場合（ステップＳ１４／ＮＯ）、ログアウトの操作を受け付けたか否かを判定する（ステップＳ１８）。Ｗｅｂページに表示されたログアウトボタンが配布員３１により押下されることで、ポスティングサーバー２５は、ログアウトの操作を受け付ける。サーバー制御部２２０は、ログアウトの操作を受け付けた場合（ステップＳ１８／ＹＥＳ）、ログアウトの処理を行う（ステップＳ１９）。また、サーバー制御部２２０は、ログアウトの操作を受け付けていない場合（ステップＳ１８／ＮＯ）、ステップＳ１２の判定に戻る。
【００７３】
図１０は、広告物を見た人が所持する機器からのアクセスを受けた場合のポスティングサーバー２５の動作を示すフローチャートである。
ポストに投函された広告物を見て興味を持った人は、例えば、スマートフォン等の顧客機器のカメラにより広告物に印刷された二次元コードを読み込む。顧客機器は、読み込まれた二次元コードを復号してＵＲＬを取り出し、取り出したＵＲＬに基づいてポスティングサーバー２５にアクセスする。すなわち、顧客機器は、ポスティングサーバー２５に通信接続を要求し、通信接続が完了すると、ＵＲＬに含まれる文字列が示すファイルの送信要求をポスティングサーバー２５に送信する。文字列には、ＩＤ情報が含まれる。
【００７４】
サーバー制御部２２０は、顧客機器から通信接続の要求があるか否かを判定する（ステップＳ２１）。サーバー制御部２２０は、通信接続の要求がない場合（ステップＳ２１／ＮＯ）、通信接続の要求を受け付けるまで待機する（ステップＳ２１）。
【００７５】
また、サーバー制御部２２０は、通信接続の要求を受け付けた場合（ステップＳ２１／ＹＥＳ）、顧客機器との通信接続を行う。サーバー制御部２２０は、通信接続が完了すると、顧客機器からファイルを指定する文字列を受信する。サーバー制御部２２０は、この文字列からＩＤ情報を取り出す（ステップＳ２２）。サーバー制御部２２０は、ＩＤ情報を取り出すと、顧客機器からのアクセスを、広告主１０が提供するＷｅｂサーバー１５に転送する（ステップＳ２３）。顧客機器には、Ｗｅｂサーバー１５の提供するＷｅｂページが表示される。このＷｅｂページには、広告主１０が提供する商品やサービスに関する情報が表示される。
【００７６】
また、サーバー制御部２２０は、アクセス履歴データベース２３７を参照して、顧客機器から取得したＩＤ情報に対応づけられたレコードを検出する（ステップＳ２４）。サーバー制御部２２０は、検出したレコードのアクセス履歴を、アクセスありに書き換える（ステップＳ２５）。
【００７７】
次に、サーバー制御部２２０は、広告に対する反響を広告主１０に報告するレポート３００の生成日時であるか否かを判定する（ステップＳ２６）。サーバー制御部２２０は、レポート３００の生成日時ではない場合（ステップＳ２６／ＮＯ）、ステップＳ２１の判定に戻る。
【００７８】
また、サーバー制御部２２０は、レポート３００の生成日時である場合（ステップＳ２６／ＹＥＳ）、アクセス履歴データベース２３７に登録されたアクセス履歴や、位置情報に基づき、反響率を配布エリアごとに算出する（ステップＳ２７）。サーバー制御部２２０は、配布エリアごとの反響率を算出すると、算出した反響率に基づいてレポート３００を生成する（ステップＳ２８）。このレポート３００には、例えば、配布エリアごとの反響率や、次回の広告物の配布のときに、広告物を配布したほうがよい配布エリアの提案等が記載される。サーバー制御部２２０は、生成したレポートを広告主用コンピューター１３に送信する（ステップＳ２９）。
【００７９】
以上説明したように本実施形態の広告システム１は、ポスティングサーバー２５と、プリンター３５を制御する配布員用機器３３とを備える。
ポスティングサーバー２５は、サーバー通信部２１０と、サーバー制御部２２０とを備える。サーバー制御部２２０は、広告データと、複数のＩＤ情報とをサーバー通信部２１０により配布員用機器３３にダウンロードする。
【００８０】
また、配布員用機器３３は、無線通信部３３１と、機器制御部３５０とを備える。
無線通信部３３１は、ポスティングサーバー２５から広告データと、複数のＩＤとを受信する。
機器制御部３５０は、複数のＩＤ情報から１のＩＤ情報を選択し、選択したＩＤ情報と、広告データとをプリンター３５に出力し、選択したＩＤ情報及び広告データが印刷された広告物を生成させる。
従って、広告物を配布する場合に、配布した広告物を特定することができる。例えば、広告物を配布するときに、ＩＤ情報と、配布位置とを対応づけて登録しておく。広告物を見た人が店舗に来店したときに、広告物を見た人が持参した広告物からＩＤ情報を特定することで、広告物に対する反響の高い配布エリアを特定することができる。また、ＩＤ情報として、広告物の配布時期に対応づけた情報を用いることで、どの時期に配布した広告物からの反響が高いのかを特定することもできる。さらに、ＩＤ情報と、広告物を配布する配布員３１の識別情報とを対応づけておくことで、どの配布員３１が配布した広告物に対する反響が高いのかを判定することもできる。このため、配布した広告に対する広告効果をより高い精度で判定することができる。
【００８１】
また、機器制御部３５０は、印刷物ごとに異なるＩＤ情報を選択する。従って、プリンター３５により生成される広告物には、それぞれ値の異なるＩＤ情報が印刷される。このため、プリンター３５により生成される広告物の各々を区別することができる。
【００８２】
また、サーバー制御部２２０は、ポスティングサーバー２５にアクセスするための複数のＵＲＬをサーバー通信部２１０により配布員用機器３３に送信する。
機器制御部３５０は、アクセス情報を含む二次元コードを生成し、生成した二次元コードと、広告データとをプリンター３５に出力して広告物を印刷させる。複数のＵＲＬには、値が異なるＩＤ情報が含まれる。
従って、ＩＤ情報を含むＵＲＬが二次元コード化された広告物をプリンター３５に印刷させることができる。広告物を見た人は、所持する機器により二次元コードを読み取ることで、ポスティングサーバー２５にアクセスすることができる。ＵＲＬには、値が異なるＩＤ情報が含まれるので、ポスティングサーバー２５は、ＵＲＬによりどの広告物に印刷された二次元コードを読み取ってアクセスしてきたのかを特定することができる。
【００８３】
ポスティングサーバー２５は、印刷物を配布する配布員３１の配布員ＩＤと、配布員３１のメールアドレスとを対応づけて記憶した配布員登録データベース２３３を有する。
サーバー制御部２２０は、配布員用機器３３を使用する配布員３１のメールアドレスを取得し、取得したメールアドレス宛てに印刷物を配布するエリアを指定したエリア情報を送信する。
従って、広告物を配布員３１に配布させるエリアをポスティングサーバー２５により指定することができる。
【００８４】
配布員用機器３３は、位置を検出するＧＰＳ受信部３３２と、二次元コードを読み取るカメラ３３５と、操作を受け付ける操作部３３４と、を備える。
機器制御部３５０は、操作部３３４により操作を受け付けた場合に、ＧＰＳ受信部３３２に配布員用機器３３の位置情報を検出させる。また、機器制御部３５０は、カメラ３３５により読み取った二次元コードから取り出したＩＤ情報と、配布員用機器３３の位置を示す位置情報とをポスティングサーバー２５に送信する。
従って、配布員３１が広告物を配布したときに操作部３３４を操作することで、ポスティングサーバー２５は、広告物を配布した位置と、この位置において配布した広告物に付されたＩＤ情報とを取得することができる。従って、広告物が配布された位置を特定することができる。
【００８５】
サーバー制御部２２０は、ＵＲＬに基づくアクセス要求を受け付けた場合、ＵＲＬに含まれるＩＤ情報を取得し、ＵＲＬを取得後、アクＵＲＩセス要求の要求元装置からのアクセスを、広告データに含まれる商品及びサービスの少なくとも一方が掲載されたＷｅｂページに転送する。
従って、広告物に付された二次元コードを読み取ってポスティングサーバー２５にアクセスがあった場合に、どの広告物に印刷された二次元コードを読み取ってアクセスしてきたのかを特定することができる。
また、広告物を見た人は、所持する機器で二次元コードを読み取ることで、広告物の商品及びサービスの少なくとも一方が掲載されたＷｅｂページにアクセスすることができる。
【００８６】
サーバー制御部２２０は、配布員用機器３３から受信したＩＤ情報及び位置情報を対応づけてアクセス履歴データベース２３７に記憶させる。また、サーバー制御部２２０は、アクセス要求の要求元装置から取得したＩＤ情報に対応づけられた位置情報を検出する。さらに、サーバー制御部２２０は、検出した位置情報と、広告物の配布枚数とに基づき配布した広告物に対する反響率がしきい値以上の配布エリアを特定する。
従って、広告物に対する反響率の高い配布エリアを特定することができる。この反響率の高い配布エリアに再度、広告物を配布することで、広告費に見合った効果が得られないというリスクを低減することが可能になる。
【００８７】
［変形例］
上述した実施形態の変形例として、広告物を見て広告主１０の店舗に実際に訪れた顧客を特定して反響率を求めてもよい。
例えば、広告主１０は、クーポンのデータが含まれる広告データを生成し、生成した広告データをポスティングサーバー２５にアップロードする。
ポスティングサーバー２５は、広告物の配布枚数に対応した数のＩＤ情報を生成し、広告データ及びＩＤ情報を、配布員用機器３３に送信する。
【００８８】
アプリ３５３を実行する機器プロセッサー３５５は、ＩＤ情報を二次元コードに変換し、変換した二次元コードをクーポンのデータ内に埋め込み、二次元コードが埋め込まれた広告データをプリンター３５に出力して広告物を印刷させる。
【００８９】
配布員３１は、プリンター３５により印刷された広告物を、ポスティングサーバー２５により指定された配布エリアに配布する。このとき、配布員３１は、上述した実施形態と同様に、配布員用機器３３のアプリ３５３を起動させ、広告物を配布先に投函する前に、カメラ３３５により広告物のクーポンを読み取らせる。アプリ３５３を実行する機器プロセッサー３５５は、カメラ３３５がクーポンを読み取ると、読み取ったクーポンからＩＤ情報を取り出す。また、機器プロセッサー３５５は、ＧＰＳ受信部３３２から位置情報を取得し、ＩＤ情報と位置情報とを対応づけて機器記憶部３５１に記憶させる。さらに、機器プロセッサー３５５は、広告物の配布が終了すると、ＩＤ情報と位置情報とが対応づけられたログ情報を、ポスティングサーバー２５にアップロードする。
【００９０】
広告物に掲載された商品やサービスに興味を持ったユーザーは、広告物、又は広告物から切り取ったクーポンを持って広告主１０の店舗にいく。広告主１０の店舗では、店員が、店舗に用意された店舗端末に、ユーザーが持参したクーポンを読み取らせる。また、店員は、店舗端末を操作して、読み取ったクーポンからＩＤ情報を取り出し、取り出したＩＤ情報を店舗端末の記憶部に記憶させる。さらに、店員は、１日や１週間等の設定された期間ごとに、広告主１０を識別する広告主ＩＤやパスワード等によりポスティングサーバー２５にログインし、店舗端末により読み取らせたＩＤ情報をポスティングサーバー２５にアップロードする。
【００９１】
ポスティングサーバー２５は、店舗端末からＩＤ情報がアップロードされると、アクセス履歴データベース２３７を参照して、アップロードされたＩＤ情報のレコードを検出する。ポスティングサーバー２５は、検出したレコードのアクセス履歴を、「アクセスあり」に書き換える。
【００９２】
このように変形例では、広告物を見た人が店舗に来店したときに、広告物を見た人が持参した広告物からＩＤ情報を特定することで、広告物に対する反響の高い配布エリアを特定することができる。
【００９３】
上述した実施形態は、あくまでも本発明の一態様を示すものであり、本発明の範囲内で任意に変形および応用が可能である。
【００９４】
また、広告システムの制御方法を、ポスティングサーバー２５が備えるコンピューター、及び配布員用機器３３のコンピューターを用いて実現する場合、これらのコンピューターに実行させるプログラムを記録媒体、又はこのプログラムを伝送する伝送媒体の態様で構成することも可能である。記録媒体には、磁気的、光学的記録媒体又は半導体メモリーデバイスを用いることができる。具体的には、フレキシブルディスク、ＨＤＤ（Hard Disk Drive）、ＣＤ−ＲＯＭ（Compact Disk Read Only Memory）、ＤＶＤ（Digital Versatile Disk）、Ｂｌｕ−ｒａｙ Ｄｉｓｃ、光磁気ディスク、フラッシュメモリー、カード型記録媒体等の可搬型、或いは固定式の記録媒体が挙げられる。また、上記記録媒体は、サーバー装置が備える内部記憶装置であるＲＡＭ（Random Access Memory）、ＲＯＭ（Read Only Memory）、ＨＤＤ等の不揮発性記憶装置であってもよい。Ｂｌｕ−ｒａｙは、登録商標である。
【００９５】
また、図９及び図１０に示すフローチャートの処理単位は、サーバー制御部２２０の処理を理解容易にするために、主な処理内容に応じて分割したものである。このため、図９及び図１０のフローチャートに示す処理単位の分割の仕方や名称によって本発明が制限されることはない。また、サーバー制御部２２０の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【符号の説明】
【００９６】
１…広告システム、１０…広告主、１３…広告主用コンピューター、１５…Ｗｅｂサーバー、２０…ポスティング業者、２５…ポスティングサーバー、３０…配布員宅、３１…配布員、３３…配布員用機器、３５…プリンター、５０…ネットワーク、２１０…サーバー通信部、２２０…サーバー制御部、２３０…サーバー記憶部、２３１…制御プログラム、２３３…配布員登録データベース、２３５…依頼情報管理データベース、２３７…アクセス履歴データベース、２５０…サーバープロセッサー、３３１…無線通信部、３３２…ＧＰＳ受信部、３３４…操作部、３３５…カメラ、３５０…機器制御部、３５１…機器記憶部、３５３…アプリケーションプログラム、３５５…機器プロセッサー。
【図１】
2020194221.tif 000003
【図２】
2020194221.tif 000004
【図３】
2020194221.tif 000005
【図４】
2020194221.tif 000006
【図５】
2020194221.tif 000007
【図６】
2020194221.tif 000008
【図７】
2020194221.tif 000009
【図８】
2020194221.tif 000010
【図９】
2020194221.tif 000011
【図１０】
2020194221.tif 000012